(57)【要約】【課題】室外機の据付施工時、メンテナンス時の作業性を向上させるとともに、開口部を覆うフタの閉じ忘れを抑制できる空気調和機の室外機を提供する。【解決手段】本発明の空気調和機の室外機１００は、電気箱と、電気箱を覆い、外郭を形成する筐体１と、電気箱の内部の部品を覆う電気箱カバー部材４と、電気箱カバー部材４を外側から覆う筐体カバー２と、電気箱カバー部材４は、作業用開口５を有するとともに、作業用開口５を覆う開口カバー６が取り付けられ、開口カバー６が開いた状態で、筐体カバー２が開口カバー６に干渉する。【選択図】図２
2018151138.tif 000002
【特許請求の範囲】
【請求項１】
電気箱と、
前記電気箱を覆い、外郭を形成する筐体と、
前記電気箱の内部の部品を覆う電気箱カバー部材と、
前記電気箱カバー部材を外側から覆う筐体カバーと、
前記電気箱カバー部材は、
作業用開口を有するとともに、前記作業用開口を覆う開口カバーが取り付けられ、
前記開口カバーが開いた状態で、前記筐体カバーが前記開口カバーに干渉する
ことを特徴とする空気調和機の室外機。
【請求項２】
請求項１に記載の空気調和機の室外機において、
前記電気箱カバー部材は、前記開口カバーが回転自在に接続されるヒンジ部を有し、
前記ヒンジ部は前記作業用開口の左右または下側に設けられている
ことを特徴とする空気調和機の室外機。
【請求項３】
請求項１に記載の空気調和機の室外機において、
前記作業用開口は前記電気箱カバー部材の左端部、右端部または下端部に寄った位置に設けられている
ことを特徴とする空気調和機の室外機。
【請求項４】
請求項１に記載の空気調和機の室外機において、
前記電気箱カバー部材は、前記開口カバーが回転自在に接続されるヒンジ部を有し、
前記ヒンジ部は前記作業用開口の左右または下側に設けられ、
前記開口カバーはその取り付け平面に対し、外部に所定角度を有する位置までしか開かないように設けられている
ことを特徴とする空気調和機の室外機。
【請求項５】
請求項１に記載の空気調和機の室外機において、
前記開口カバーを前記電気箱カバー部材に取り付けるための取り付け部材と、
前記開口カバーを開けた際、前記取り付け部材が前記開口カバーから外れないようにする外れ抑制部材とを有する
ことを特徴とする空気調和機の室外機。
【請求項６】
請求項１に記載の空気調和機の室外機において、
前記開口カバーを前記電気箱カバー部材に取り付けるための取り付けねじと、
前記開口カバーを開けた際、前記取り付けねじが前記開口カバーから外れないようにするネジ脱落ワッシャーとを有する
ことを特徴とする空気調和機の室外機。
【請求項７】
電気箱と、
前記電気箱を覆い、外郭を形成する筐体と、
前記電気箱を覆い、前記筐体に取り付けられる第１の蓋部材と、
前記第１の蓋部材の内側に取り付けられる第２の蓋部材と、
前記第２の蓋部材により開閉される作業用開口と、
前記第２の蓋部材が開いた状態で、前記第１の蓋部材を前記筐体に取り付けようとした場合前記第２の蓋部材に当接して取り付けできない
ことを特徴とする空気調和機の室外機。
【発明の詳細な説明】
【技術分野】
【０００１】
本発明は、空気調和機の室外機に関する。
【背景技術】
【０００２】
従来、業務用空気調和機の室外機は制御基板を電気箱内に収納し、電気箱を電気箱カバーで覆い、更にその上から、製品意匠面となる外郭の筐体カバーで覆っている。
【０００３】
上記制御基板上には、空気調和機を据え付ける施工現場において設定が必要なディップスイッチや、サービス作業時に発光内容を確認し製品状態を知るための７セグメントＬＥＤ等が搭載されている。
例えば、特許文献１に記載の空気調和機の室外機には、制御部品を収容する電装品箱（電気品箱）が備えられている。
【先行技術文献】
【特許文献】
【０００４】
【特許文献１】特許第５６６９６５０号公報
【発明の概要】
【発明が解決しようとする課題】
【０００５】
しかしながら、特許文献１に記載の室外機の据付施工時や点検時には、電気箱カバーを外す必要がある。そのため、室外機の据付施工時や点検時に作業時間が掛かる問題ある。また、某国の安全規格によれば通電した状態で電気箱を開く際には作業者が防護用具を装着することが定められているため更に煩わしさがあった。
【０００６】
その他、電気品箱に樹脂カバーを設け、その外側を筐体カバーで覆うものがある。しかし、この構成では、樹脂カバーを閉塞する係止部が劣化したり、樹脂カバーをしないまま、筐体カバーを閉じてしまうおそれがある。つまり、樹脂カバーの閉じ忘れが発生する場合がある。
上述したように、室外機の据付施工時や点検時には、電気箱の取り扱いに有効な構成が提供されていない。
【０００７】
本発明は上記実状に鑑み創案されたものであり、室外機の据付施工時、メンテナンス時の作業性を向上させるとともに、開口部を覆うフタの閉じ忘れを抑制できる空気調和機の室外機の提供を目的とする。
【課題を解決するための手段】
【０００８】
前記課題を解決するため、第１の本発明の空気調和機の室外機は、電気箱と、前記電気箱を覆い、外郭を形成する筐体と、前記電気箱の内部の部品を覆う電気箱カバー部材と、前記電気箱カバー部材を外側から覆う筐体カバーと、前記電気箱カバー部材は、作業用開口を有するとともに、前記作業用開口を覆う開口カバーが取り付けられ、前記開口カバーが開いた状態で、前記筐体カバーが前記開口カバーに干渉する。
【０００９】
第２の本発明の空気調和機の室外機は、電気箱と、前記電気箱を覆い、外郭を形成する筐体と、前記電気箱を覆い、前記筐体に取り付けられる第１の蓋部材と、前記第１の蓋部材の内側に取り付けられる第２の蓋部材と、前記第２の蓋部材により開閉される作業用開口と、前記第２の蓋部材が開いた状態で、前記第１の蓋部材を前記筐体に取り付けようとした場合前記第２の蓋部材に当接して取り付けできない。
【発明の効果】
【００１０】
本発明によれば、室外機の据付施工時、メンテナンス時の作業性を向上させるとともに、開口部を覆うフタの閉じ忘れを抑制できる空気調和機の室外機を提供できる。
【図面の簡単な説明】
【００１１】
【図１】本発明の一実施形態に係る空気調和機の室外機を斜め上方から見た前面斜視図。
【図２】室外機から筐体カバーを外し、開口カバー蓋を開けた状態を斜め上方から見た前面斜視図。
【図３】開口部の周辺の前面拡大図。
【図４】開口カバー蓋の近傍部の図３のＩ−Ｉ断面図。
【図５】開口カバー蓋が開口部を閉じた際の開口カバー固定ネジの周辺部を拡大した図３のＩ−Ｉ断面相当図。
【図６】室外機から筐体カバーを外した状態を斜め前上方から見た前面斜視図。
【図７】変形例１の室外機の開口カバー蓋を開けた際の開口部の周辺部を示す前面図。
【図８】変形例２の室外機の開口カバー蓋を開けた際の開口部の周辺部を示す前面図。
【図９】変形例３の室外機の開口カバー蓋を開けた際の開口部の周辺部を示す前面図。
【図１０】室外機における開口部と開口部を開閉する開口カバー蓋の配置をまとめた図。
【発明を実施するための形態】
【００１２】
以下、本発明の実施形態について、適宜図面を参照しながら詳細に説明する。
図１は、本発明の一実施形態に係る空気調和機の室外機１００を斜め上方から見た前面斜視図である。
実施形態の空気調和装置は、室外機１００と室内機（図示せず）とが冷媒配管（図示せず）によって接続されている。これにより、冷凍サイクルが構成され、室内の空気調和が行われる。
【００１３】
室外機１００は、筐体１内に圧縮機(図示せず)、熱交換器（図示せず）、減圧装置（図示せず）、送風器(図示せず)、および電気箱(図示せず)を備えている。
【００１４】
圧縮機、熱交換器、および減圧装置は冷凍サイクルを構成する。
送風器は、室外機１００の熱交換器周りの空気を外部空間に送り出し、熱交換を促進する。
電気箱は、室外機１００の制御を担う制御基板が搭載されている。制御基板には、表示部や各種スイッチなどの電気品(図示せず)が実装されている。
【００１５】
図２は、室外機１００から筐体カバー２を外し、開口カバー蓋６を開けた状態を斜め上方から見た前面斜視図である。
室外機１００の前面下部は、下側キャビネット３が筐体１を形成している。 
室外機１００の前面中央部には製品サービス時に、電気箱の内部の確認が出来るように取り外し可能な蓋状の筐体カバー２が筐体１の前面板１Ａに取り付け固定されている。前面板１Ａの下部は下側キャビネット３等で形成されている。
【００１６】
筐体カバー２の後方には、電気箱全体をカバーする電気箱カバー板４が固定されている。こうして、電気箱は制御基板８（図３参照）やその他の電気品(図示せず)保護のために電気箱カバー板４で覆われている。図３は、開口部５の周辺の前面拡大図である。
【００１７】
電気箱カバー板４は、前面板１Ａである下側キャビネット３より奥方に配置されている。つまり、電気箱カバー板４は下側キャビネット３を含む前面板１Ａより奥側に凹んで設置されている。
筐体カバー２は、前面視で、電気箱全体をカバーする面積を有している。
【００１８】
電気箱カバー板４の右下部には、弱電部８Ｊの電気品を点検するための開口部５が設けられている。これにより、開口部５から電気箱の内部に配置された制御基板８の一部（弱電部品が実装される弱電部８Ｊ等）を目視できる。
【００１９】
そして、開口部５を開閉するための開口カバー蓋６が電気箱カバー板４に設置されている。具体的には、開口カバー蓋６は電気箱カバー板４に設けられるヒンジ７にて、回転自在に支持されている。
【００２０】
ところで、室外機１００は、屋外で使用されるため、風雨に晒される。そのため、室外機１００の筐体１は耐候性や所定の強度が必要である。そこで、筐体１、電気箱カバー板４、および開口カバー蓋６は耐候性や強度が高い板金製としている。なお、筐体１、電気箱カバー板４、および開口カバー蓋６が所定の耐候性や強度を有すれば、板金以外の材料を用いてもよい。
【００２１】
前記したように、開口カバー蓋６は、電気箱カバー板４のヒンジ７により、開閉自在に取り付けられている。開口カバー蓋６は、ヒンジ７を中心に９０度以上回転して下側に開く（図２、図３参照）。開口カバー蓋６を下側に開くことで、利用者は、開口部５を通して制御基板8の弱電部８Ｊを目視できる。
【００２２】
制御基板８の弱電部８Ｊには、現地施工時に選択する必要のある設定、或いは、特別に作動させたい機能を設定したりするのに必要なディップスイッチが装備されている。また、サービス作業時に空気調和装置の運転状態等が確認できるように７セグメントＬＥＤが制御基板８上に装備されている。
【００２３】
このように、開口カバー蓋６を下側に開くことで、利用者は、ディップスイッチや７セグメントＬＥＤを開口部５から目視できる。これにより、開口カバー蓋６を開くことで、利用者のサービスマンは電気カバー４を開くことなく、ディップスイッチや７セグメントＬＥＤにアクセスが可能である。
【００２４】
某国には、メンテナンス等を行うサービスマンの作業時の安全性を確保するために、安全基準が規定されている。
この安全基準によれば、室外機１００の電気箱内を通電状態で操作する場合には、帯電防止仕様の全身つなぎ・ゴム手袋・皮手袋・顔面保護シールドのついたヘルメットを装着する必要がある。サービスマンの防護用具への着換えは大掛かりとなる。そのため、作業性も悪く、作業時間の増加にもつながる。そこで、防護用具への着換えはサービスマンから疎まれていた。
【００２５】
本実施形態の構成によれば、開口カバー蓋６を弱電部８Ｊが目視できる開口部５を開閉できる位置に設けることで、開口カバー蓋６を開けた際、開口部５から露出するのは弱電部８Ｊだけとなる。
そのため、弱電部８Ｊに対する作業を行う際に開口カバー蓋６を開ければ済むので、防護用具の装着は不要となる。
【００２６】
＜開口カバー蓋６＞
図４に開口カバー蓋６の近傍の図３のＩ−Ｉ断面を示す。図５に開口カバー蓋６が開口部５を閉じた際の開口カバー固定ネジ９の周辺を拡大した図３のＩ−Ｉ断面相当図を示す。
開口カバー蓋６の一方端部は、ヒンジ７を介して電気箱カバー板４に回転自在に軸支されている。
【００２７】
開口カバー蓋６の他方端部には、開口カバー固定ネジ９が挿通するネジ挿通孔６ａ（図４、図５参照）が設けられている。開口カバー蓋６のネジ挿通孔６ａには、ワッシャｗ１を挿通して開口カバー固定ネジ９のねじ部９ｏが挿通される。そして、図４に示すように、ねじ部９ｏの先端側からセムスワッシャー１０が開口カバー蓋６近くまで嵌め込まれている。
【００２８】
セムスワッシャー１０が開口カバー蓋６を挟んで、開口カバー固定ネジ９のねじ部９ｏに取り付けられることで、図４に示すように、開口カバー蓋６を開いた際にもセムスワッシャー１０が開口カバー固定ネジ９の開口カバー蓋６からの抜け止めとなる。そのため、開口カバー蓋６のネジ挿通孔６ａから開口カバー固定ネジ９が抜けることが抑制される。
【００２９】
一方、電気箱カバー板４には、開口カバー固定ネジ９のねじ部９ｏが螺合される雌ねじ４ｍが形成されている。雌ねじ４ｍは電気箱カバー板４をバーリング加工することにより形成してもよいし、雌ねじ４ｍが形成された円柱形状の部品を電気箱カバー板４に溶接してもよく、電気箱カバー板４に開口カバー固定ネジ９が螺着される雌ねじ４ｍが形成されれば、構成は任意に選択できる。開口カバー蓋６を開ける際には、図２に示すように、筐体カバー２を外した状態で、開口カバー固定ネジ９（図５参照）を緩め、開口カバー蓋６を下側に開く（図２、図３参照）。
【００３０】
室外機１００の使用時には、図５に示すように、開口カバー蓋６に取り付けられた開口カバー固定ネジ９が、電気箱カバー板４の雌ねじ４ｍに螺合され、開口カバー蓋６で開口部５を閉じた状態にある。そして、図１に示すように、筐体カバー２が前面板１Ａにねじｎ１止め等で取り付けられている。そのため、開口部５は、開口カバー蓋６と筐体カバー２とで二重にカバーされている。
【００３１】
＜開口部５を通じての弱電部８Ｊの作業＞
図６は、室外機１００から筐体カバー２を外した状態を斜め前上方から見た前面斜視図である。
室外機１００の据え付け、メンテナンスに際しては、室外機１００（図１参照）の前側の固定ねじｎ１を緩めて筐体カバー２の上部側の係合を外し、筐体カバー２を前面板１Ａから外す。
【００３２】
続いて、図５に示す開口カバー固定ネジ９を緩めて、図４に示すように、開口カバー蓋６を手前側に１８０度回転させて開け、開口部５を外側から目視できる状態とする。
【００３３】
この際、開口カバー蓋６は、電気箱カバー板４より前側に配置される下側キャビネット３と接触するため、電気箱カバー板４が延在する面４ｐに対して１８０度未満の所定角度θ１までしか開かない。そのため、開口カバー蓋６は下側キャビネット３より前側に突き出た状態となる。
【００３４】
そのため、開口カバー蓋６を閉じ忘れた状態で、筐体カバー２を閉じようとしても、下側キャビネット３より前側に突き出た開口カバー蓋６と当接（干渉）するため、筐体カバー２を閉じることができない。すなわち、開口カバー蓋６を閉め忘れた場合、筐体カバー２を閉じることができないこととなる。これにより、開口カバー蓋６の閉め忘れを抑制できる。
【００３５】
この構成を実現するため、開口部５は電気箱カバー板４の左右あるいは下側に寄った位置とし、開口カバー蓋６を開けた際に開口カバー蓋６が、電気箱カバー板４より前側に配置される下側キャビネット３や右側キャビネット３ｍまたは左側キャビネット３ｈに当接する構成とする（詳細は後記）。
【００３６】
なお、開口カバー蓋６を開けた際、開口カバー固定ネジ９は、開口カバー蓋６につけたままとする。前記したように、セムスワッシャー１０を、開口カバー蓋６をはさむように開口カバー固定ネジ９に取り付けることにより、ネジ落下抑制を図れる。
【００３７】
これに反して、セムスワッシャー１０を設けない場合、開口カバー蓋６を開けた際に開口カバー固定ネジ９が開口カバー蓋６から外れてしまう。そのため、サービスマンは開口カバー固定ネジ９を探す手間が発生する場合がある。
本実施形態のようにセムスワッシャー１０を設けることで、開口カバー固定ネジ９を探す手間が解消する。
【００３８】
以上まとめると、電気箱の弱電部８Ｊにサービス用の開口部５を設け、開口部５を開閉する開口カバー蓋６を設けた。これにより、サービスマンの防護用具の装着は不要となる。そのため、弱電部８Ｊに対する作業効率が向上する室外機１００を簡単な構造で実現できる。
【００３９】
さらに、開口カバー蓋６が開いた状態では筐体カバー２が取り付かない構造としたので、開口カバー蓋６の閉じ忘れを抑制できる。
また、開口カバー蓋６の留め具の開口カバー固定ネジ９にセムスワッシャー１０を設け、開口カバー固定ネジ９を開口カバー蓋６から外れない構成とした。これにより、開口カバー蓋６を開けた際にサービスマンが開口カバー固定ネジ９を探す手間を解消する。従って、電気箱を取り扱う場合の作業性を向上できる。
【００４０】
＜変形例１＞
図７は、変形例１の室外機１０１の開口カバー蓋１６を開けた際の開口部５の周辺部を示す前面図である。
変形例１の室外機１０１は、右側キャビネット３ｍの奥側に設けられた電気箱カバー板４の右端部にヒンジ１７を設ける。そして、開口部５を開閉する開口カバー蓋１６を、ヒンジ１７を介して左右方向に回転自在に設けたものである。
【００４１】
この場合も、実施形態と同様、開口カバー蓋１６を開けた際に、開口カバー蓋１６が、右側キャビネット３に当接し、電気箱カバー板４が延在する面４ｐに対して１８０度未満の所定の角度までしか開くことがない。
従って、開口カバー蓋１６の閉じ忘れを抑制できる。
【００４２】
＜変形例２＞
図８は、変形例２の室外機１０２の開口カバー蓋２６を開けた際の開口部１５の周辺部を示す前面図である。
変形例２の室外機１０２は、弱電部８Ｊが電気箱カバー板４の中央下端部に設けられた場合である。
【００４３】
変形例２では、弱電部８Ｊを目視するための開口部１５を、電気箱カバー板４の中央下端部に設けている。下側キャビネット３の奥側に設けられた電気箱カバー板４の中央下端部にヒンジ２７が設けられる。
【００４４】
そして、開口カバー蓋２６を、ヒンジ２７を介して前後方向に開閉自在とし、下側キャビネット３に重なって開く構成とする。これにより、開口カバー蓋２６を開けた際に、開口カバー蓋２６が下側キャビネット３に当接し、電気箱カバー板４が延在する面４ｐに対して１８０度未満の所定の角度までしか開くことがない。
従って、開口カバー蓋２６の閉じ忘れを抑制できる。
【００４５】
＜変形例３＞
図９は、変形例３の室外機１０３の開口カバー蓋３６を開けた際の開口部３５の周辺部を示す前面図である。
変形例３の室外機１０３は、弱電部８Ｊが電気箱カバー板４の左上端部に設けられた場合である。
【００４６】
変形例３では、弱電部８Ｊを目視するための開口部３５を、電気箱カバー板４の左上端部に設けている。左側キャビネット３ｈの奥側に設けられた電気箱カバー板４の左上端部にヒンジ３７が設けられる。
【００４７】
そして、電気箱カバー板４の左上端部に設けたヒンジ３７を介して開口カバー蓋３６を左右方向に開閉自在とし、左側キャビネット３ｈに重なって開く構成とする。
【００４８】
こうして、開口カバー蓋３６を開けた際に、開口カバー蓋３６が左側キャビネット３ｈに当接し、電気箱カバー板４が延在する面４ｐに対して１８０度未満の所定の角度までしか開くことがない。
従って、開口カバー蓋３６の閉じ忘れを抑制できる。
【００４９】
＜開口部５と開口カバー蓋６の配置＞
次に、室外機１００における開口部５と開口部５を開閉する開口カバー蓋６の配置について説明する。
図１０は、室外機１００における開口部５と、開口部５を開閉する開口カバー蓋６の配置をまとめた図である。
【００５０】
図１０に示すように、開口部５および開口カバー蓋６が、弱電部８Ｊの配置に合わせて、電気箱カバー板４の下端部、右端部、および左端部に寄って配置される。
【００５１】
例えば、開口部５が電気箱カバー板４の右下端部に配置される場合には、開口カバー蓋６を下側に設けたヒンジ７の回りに上下方向に開き、開口カバー蓋６を開けた際に開口カバー蓋６が下側キャビネット３に当接するように構成する。或いは、開口カバー蓋６を開口カバー蓋６を右側に設けたヒンジ７の回りに左右方向に開き、開口カバー蓋６を開けた際に開口カバー蓋６が右側キャビネット３ｍに当接するように構成する。
【００５２】
例えば、開口部５が電気箱カバー板４の左下端部に配置される場合には、開口カバー蓋６を下側に設けたヒンジ７の回りに上下方向に開き、開口カバー蓋６を開けた際に開口カバー蓋６が下側キャビネット３に当接するように構成する。或いは、開口カバー蓋６を開口カバー蓋６を左側に設けたヒンジ７の回りに左右方向に開き、開口カバー蓋６を開けた際に開口カバー蓋６が左側キャビネット３ｈに当接するように構成する。
【００５３】
例えば、開口部５が電気箱カバー板４の左・右下端部を除く下端中央部に配置される場合には、開口カバー蓋６を下側に設けたヒンジ７の回りに上下方向に開き、開口カバー蓋６を開けた際に開口カバー蓋６が下側キャビネット３に当接するように構成する。
【００５４】
例えば、開口部５が電気箱カバー板４の右下端部を除く右端部に配置される場合には、開口カバー蓋６を開口カバー蓋６を右側に設けたヒンジ７の回りに左右方向に開き、開口カバー蓋６を開けた際に開口カバー蓋６が右側キャビネット３ｍに当接するように構成する。
【００５５】
例えば、開口部５が電気箱カバー板４の左下端部を除く左端部に配置される場合には、開口カバー蓋６を開口カバー蓋６を左側に設けたヒンジ７の回りに左右方向に開き、開口カバー蓋６を開けた際に開口カバー蓋６が左側キャビネット３ｈに当接するように構成する。
【００５６】
以上より、開口部５は、左・右・下側キャビネット３ｍ、３ｈ、３より奥に形成される電気箱カバー板４の左右あるいは下側に寄った位置に配置されている。なお、図２は開口部５を電気箱カバー板４の右下側に寄った位置に配置した場合を示す。
【００５７】
このように、開口部５が電気箱カバー板４の左右又は下側に寄った位置に設けられるので、開口カバー蓋６が開いた際に左側キャビネット３ｈ、右側キャビネット３ｍ、または下側キャビネット３と当接するように構成できる。そのため、開口カバー蓋６を開いた状態では、筐体カバー２が取り付けできないように構成できる。
【００５８】
また、ヒンジ７は開口部５の左右又は下側に設けられているので、開口カバー蓋６が開いている時は、開口カバー蓋６が左側キャビネット３ｈ、右側キャビネット３ｍ、または下側キャビネット３と当接し、筐体カバー２が取り付けできないように構成できる。
【００５９】
以上のことから、電気箱カバー板４を外さずに、制御基板の弱電部８Ｊへ容易にアクセスできるように開口部５を設け、開口カバー蓋６を取り付けることで、開口カバー蓋６の閉め忘れ防止を可能とする空気調和機の室外機１００を提供できる。
【００６０】
＜＜その他の実施形態＞＞
１．前記実施形態では、電気箱の弱電部８Ｊに開口部５と開口カバー蓋６とを設ける構成を例示して説明したが、弱電部８Ｊ以外の電気箱の強電部やその他の領域に開口部５と開口カバー蓋６とを設ける構成としてもよい。
【００６１】
２．また、前記実施形態では、開口部５と開口カバー蓋６とを筐体１の前面板１Ａ側に設ける構成を例示して説明したが、筐体１の左右の側板や後面板側に設けてもよい。
【００６２】
３．前記実施形態では、開口カバー蓋６からの開口カバー固定ネジ９の抜け止めとしてセムスワッシャー１０を例に挙げて説明したが、開口カバー蓋６を開けた際に開口カバー固定ネジ９が外れない機能を有すれば、セムスワッシャー１０以外の外れ防止部材を適用してもよい。例えば、開口カバー蓋６と開口カバー固定ネジ９とを連結する紐状の樹脂部材で両者を連結する。これにより、開口カバー蓋６を開けた際に開口カバー固定ネジ９が開口カバー蓋６から外れず、開口カバー固定ネジ９を探す手間がなく作業性が良好である。
【００６３】
４．電気箱と、電気箱を覆い、外郭を形成する筐体１と、電気箱を覆い、筐体１に取り付けられる第１の蓋部材（２）と、第１の蓋部材（２）の内側に取り付けられる第２の蓋部材（６）と、第２の蓋部材（６）により開閉される作業用開口（５）と、第２の蓋部材（６）が開いた状態で、第１の蓋部材（２）を筐体１に取り付けようとした場合第２の蓋部材（６）に当接して取り付けできないことを特徴とする空気調和機の室外機（１００）とできる。
この構成によれば、第２の蓋部材（６）が開いた状態で、第１の蓋部材（２）を筐体１に取り付けようとした場合第２の蓋部材（６）に当接して取り付けできないので、第２の蓋部材（６）の閉め忘れを抑制できる。
【００６４】
５．前記実施形態等は、特許請求の範囲に記載した本発明の一例を記載したものであり、特許請求の範囲に記載した範囲内で様々な変形形態、具体的形態が可能である。
【符号の説明】
【００６５】
１    筐体
２    筐体カバー（第１の蓋部材）
３    下側キャビネット
４    電気箱カバー板（電気箱カバー部材）
４p    電気箱カバー板が延在する面（取り付け平面）
５    開口部（作業用開口）
６    開口カバー（第２の蓋部材）
７、１７、２７、３７  ヒンジ（ヒンジ部）
８    制御基板
９    開口カバー固定ネジ（取り付け部材、取り付けねじ）
１０  セムスワッシャー（外れ防止部材）
１００、１０１、１０２、１０３  空気調和機の室外機
θ１    所定角度
【図１】
2018151138.tif 000003
【図２】
2018151138.tif 000004
【図３】
2018151138.tif 000005
【図４】
2018151138.tif 000006
【図５】
2018151138.tif 000007
【図６】
2018151138.tif 000008
【図７】
2018151138.tif 000009
【図８】
2018151138.tif 000010
【図９】
2018151138.tif 000011
【図１０】
2018151138.tif 000012